(57)【特許請求の範囲】
【請求項１】
発光ダイオードチップから放出された光を外部へ出射するための発光ダイオードレンズにおいて、
前記発光ダイオードレンズは、直線と、前記直線の両端から対向して延長する側辺と、前記側辺の端部を連結する上辺により形成される平面形状を、前記直線を軸線として前記軸線のまわりに１８０°回転させてできる形状を有し、
前記平面形状と、前記平面形状を前記軸線のまわりに１８０°回転させた後の前記平面形状とから形成される底面の前記軸線上に、前記発光ダイオードチップが取り付けられ、
前記側辺が前記軸線のまわりに１８０°回転した軌跡が、前記発光ダイオードチップから出射する光の少なくとも一部を全反射する反射面を形成し、
前記上辺が前記軸線のまわりに１８０°回転した軌跡が、前記発光ダイオードチップから直接到達した光および前記反射面から反射して到達した光を外部へ出射する出射面を形成する発光ダイオードレンズ。
【請求項２】
前記反射面は曲面を有することを特徴とする請求項１に記載の発光ダイオードレンズ。
【請求項３】
前記側辺は、前記軸線の両端から対向して膨らんで延長する第１側辺と、前記第１側辺の端部から延長する直線を有する第２側辺を含むことを特徴とする請求項１に記載の発光ダイオードレンズ。
【請求項４】
前記対向する側辺は互いに対称であることを特徴とする請求項１に記載の発光ダイオードレンズ。
【請求項５】
前記対向する側辺は互いに非対称であることを特徴とする請求項１に記載の発光ダイオードレンズ。
【請求項６】
前記対向する側辺のうち少なくとも一方の側辺は、前記軸線の端部から膨らんだ円弧形状で延長していることを特徴とする請求項１に記載の発光ダイオードレンズ。
【請求項７】
前記上辺は、前記軸線側に凹んだ曲線を有することを特徴とする請求項１に記載の発光ダイオードレンズ。
【請求項８】
前記上辺は、対向する前記側辺から延長する一対の第１上辺と、前記第１上辺の前記側辺とは反対側の端部から所定の角度で互いに対向するよう前記軸線側へ延長された一対の第２上辺と、前記第２上辺の前記第１上辺とは反対側の端部から延長され、前記軸線とは反対側へ膨らんだ第３上辺とを有することを特徴とする請求項１に記載の発光ダイオードレンズ。
【請求項９】
前記上辺は、対向する前記側辺から延長する一対の第１上辺と、前記第１上辺の前記側辺とは反対側の端部から互いに対向するよう前記軸線側へ延長された一対の第２上辺と、前記第２上辺の前記第１上辺とは反対側の端部から延長された第３上辺とを有し、
前記第２上辺と前記第３上辺の間に直線の連結部が形成されることを特徴とする請求項１に記載の発光ダイオードレンズ。
【請求項１０】
前記上辺は、対向する前記側辺から延長する一対の第１上辺と、前記第１上辺の前記側辺とは反対側の端部から互いに対向するよう前記軸線側へ延長された一対の第２上辺と、前記第２上辺の前記第１上辺とは反対側の端部から延長された第３上辺とを有し、
前記第２上辺と前記第３上辺の間に曲線の連結部が形成されることを特徴とする請求項１に記載の発光ダイオードレンズ。
【請求項１１】
前記上辺は、対向する前記側辺から延長する一対の第１上辺を有し、
前記第１上辺は前記軸線に対して略平行であることを特徴とする請求項１に記載の発光ダイオードレンズ。
【請求項１２】
前記上辺は、対向する前記側辺から延長する一対の第１上辺を有し、
前記第１上辺は前記軸線に対して傾斜することを特徴とする請求項１に記載の発光ダイオードレンズ。
【請求項１３】
前記側辺は、前記軸線の端部から延長する直線と、前記延長する直線の端部から膨らんで延長する曲線を有することを特徴とする請求項１に記載の発光ダイオードレンズ。
【請求項１４】
前記側辺は、前記軸線の端部から延長する曲線を有することを特徴とする請求項１に記載の発光ダイオードレンズ。
【請求項１５】
前記出射面において、前記発光ダイオードチップに対向する領域に平面が形成されることを特徴とする請求項１に記載の発光ダイオードレンズ。
【請求項１６】
前記側辺は、前記軸線の両端から対向して延長する第１側辺と、前記第１側辺の端部から延長する直線を有する第２側辺とを有し、
対向する前記第２側辺は、前記軸線に垂直な方向に対して相異する角度で傾斜して延長していることを特徴とする請求項１に記載の発光ダイオードレンズ。
【請求項１７】
液晶表示装置においてＬＣＤの背面からＬＣＤパネルに垂直な方向に光を照射するバックライトモジュールにおいて、
前記ＬＣＤパネル側が開放された略長方形のハウジングと、
前記ハウジング内に設けられた反射板と、
前記反射板に配されるバー形態の基板、及び、前記基板の両側に請求項１ないし請求項１６のいずれかに記載の発光ダイオードレンズを備える発光ダイオードアレーとを含み、
前記反射板は、前記基板から、前記垂直な方向へ緩やかに上向き傾斜を有し、
前記基板は、前記反射板の最低点に配されることを特徴とするバックライトモジュール。
【発明の詳細な説明】
【技術分野】
【０００１】
本発明はレンズに関するものであって、より具体的には発光ダイオードチップから発生した光を一定の出射角度で外部へ出射するための発光ダイオードレンズ及びこのレンズを備えたバックライトモジュールに関するものである。
【背景技術】
【０００２】
電子機器産業の発展に伴い、液晶表示装置(LCD: Liquid Crystal Display)が次世代ディスプレー装置として注目を浴びている。上記LCDは自ら光を発生するものではないので、通常LCDパネルの背面に光を発生するバックライト(backlight)モジュールを備える。
【０００３】
図1は米国特許第6,679,621号において従来の側面放出型LCDバックライトモジュールの光源として提案された発光ダイオードを示す断面図である。図1によると、発光ダイオード(10)は、電気信号の入出力のためのリード(12)が形成され、その内部に熱伝導性物質を備えたプラスチック製パッケージ(11)内に発光ダイオードチップ(14)が実装され、上記発光ダイオードチップ(14)から発生した光の経路を水平方向に変更させるレンズ(13)が上記フレーム(11)の上部に結合されて成る。
【０００４】
上記においてレンズ(13)は上記発光ダイオードチップ(14)から発生し全方向へ放出される夫々の光を水平方向に屈折させるよう光学的に設計されたものであって、上記図1においては外形が略臼形態のレンズを示すが、これは発光ダイオードチップ(14)から発生する光の放出角度に応じてより複雑になりかねなく、一部の設計範囲を外れた光が水平方向に屈折されないまま垂直方向に向かってしまう問題がある。
【０００５】
さらに、こうした発光ダイオード素子(10)を用いてLCDバックライトモジュールを具現する場合、上記点光源の発光ダイオード素子(10)を先ず所定の長さの印刷回路基板(図示せず)上に一列に実装し、図2に示すように線光源の発光ダイオードアレー(20)を形成し、上記発光ダイオードアレー(20)を一つ以上所定間隔で平行配置した後、上記発光ダイオードアレー(20)の両側面に、上記発光ダイオードアレー(20)から水平に放出される光を垂直方向に反射するよう形成された反射板(31)を取り付けバックライトモジュール(30)を具現する。
【０００６】
上記のように、従来の発光ダイオードを用いたバックライトモジュール(30)は実際に光源である発光ダイオードチップ(14)から最初に発生した光をレンズ(13)により水平方向へ屈折後再び反射板(31)で垂直方向に反射し、光経路が幾度も変更される。したがって、複雑な経路上において光損失が生じる。
【０００７】
また、発光ダイオードチップ(14)から放出された光は図1の垂直方向である光軸を中心に360°放射するので、光源、即ち発光ダイオードチップ(14)から遠くなるほど明るさが大きく低下する。したがって、光度の減少を克服するために発光ダイオードアレー(20)もやはり相互隣接するよう配さなければならない。
【発明の開示】
【発明が解決しようとする課題】
【０００８】
本発明は先述した従来の技術の問題を解決するために案出されたものであって、本発明の目的は発光ダイオードチップから発生した光を一定の出射角度で外部へ出射するための発光ダイオードレンズを提供することにある。
【０００９】
本発明の他目的はバックライトモジュール内で発光ダイオードアレーモジュールの数を減少させられる発光ダイオードレンズを提供することにある。
【００１０】
本発明のさらに他の目的は上記発光ダイオードレンズを備えるLCDバックライトモジュールを提供することにある。
【課題を解決するための手段】
【００１１】
上記課題を解決するために、本発明の第１の形態においては、発光ダイオードチップから放出された光を外部へ出射するための発光ダイオードレンズにおいて、発光ダイオードレンズは、直線と、直線の両端から対向して延長する側辺と、側辺の端部を連結する上辺により形成される平面形状を、直線を軸線として軸線のまわりに１８０°回転させてできる形状を有し、平面形状と、平面形状を軸線のまわりに１８０°回転させた後の平面形状とから形成される底面の軸線上に、発光ダイオードチップが取り付けられ、側辺が軸線のまわりに１８０°回転した軌跡が、発光ダイオードチップから出射する光の少なくとも一部を全反射する反射面を形成し、上辺が軸線のまわりに１８０°回転した軌跡が、発光ダイオードチップから直接到達した光および反射面から反射して到達した光を外部へ出射する出射面を形成する発光ダイオードレンズが提供される。
【００１２】
上記発光ダイオードレンズにおいて、反射面は曲面を有してもよい。
【００１３】
上記発光ダイオードレンズにおいて、側辺は、軸線の両端から対向して膨らんで延長する第１側辺と、第１側辺の端部から延長する直線を有する第２側辺を含んでもよい。
【００１４】
上記発光ダイオードレンズにおいて、対向する側辺は互いに対称であってもよい。
【００１５】
上記発光ダイオードレンズにおいて、対向する側辺は互いに非対称であってもよい。
【００１６】
上記発光ダイオードレンズにおいて、対向する側辺のうち少なくとも一方の側辺は、軸線の端部から膨らんだ円弧形状で延長していてもよい。
【００１７】
上記発光ダイオードレンズにおいて、上辺は、軸線側に凹んだ曲線を有してもよい。
【００１８】
上記発光ダイオードレンズにおいて、上辺は、対向する側辺から延長する一対の第１上辺と、第１上辺の側辺とは反対側の端部から所定の角度で互いに対向するよう軸線側へ延長された一対の第２上辺と、第２上辺の第１上辺とは反対側の端部から延長され、軸線とは反対側へ膨らんだ第３上辺とを有してもよい。
【００１９】
上記発光ダイオードレンズにおいて、上辺は、対向する側辺から延長する一対の第１上辺と、第１上辺の側辺とは反対側の端部から互いに対向するよう軸線側へ延長された一対の第２上辺と、第２上辺の第１上辺とは反対側の端部から延長された３上辺とを有し、第２上辺と第３上辺の間に直線の連結部が形成されてもよい。
上記発光ダイオードレンズにおいて、上辺は、対向する側辺から延長する一対の第１上辺と、第１上辺の側辺とは反対側の端部から互いに対向するよう軸線側へ延長された一対の第２上辺と、第２上辺の第１上辺とは反対側の端部から延長された３上辺とを有し、第２上辺と第３上辺の間に曲線の連結部が形成されてもよい。
上記発光ダイオードレンズにおいて、上辺は対向する側辺から延長する一対の第１上辺を有し、第１上辺は軸線に対して略平行であってもよい。
上記発光ダイオードレンズにおいて、上辺は対向する側辺から延長する一対の第１上辺を有し、第１上辺は軸線に対して傾斜してもよい。
上記発光ダイオードレンズにおいて、側辺は、軸線の端部から延長する直線と、延長する直線の端部から膨らんで延長する曲線を有してもよい。
上記発光ダイオードレンズにおいて、側辺は、軸線の端部から延長する曲線を有してもよい。
上記発光ダイオードレンズにおいて、出射面において、発光ダイオードチップに対向する領域に平面が形成されてもよい。
上記発光ダイオードレンズにおいて、側辺は、軸線の両端から対向して延長する第１側辺と、前記第１側辺の端部から延長する直線を有する第２側辺とを有し、対向する第２側辺は、軸線に垂直な方向に対して相異する角度で傾斜して延長していてもよい。
本発明の第２の形態においては、液晶表示装置においてＬＣＤの背面からＬＣＤパネルに垂直な方向に光を照射するバックライトモジュールにおいて、ＬＣＤパネル側が開放された略長方形のハウジングと、ハウジング内に設けられた反射板と、反射板に配されるバー形態の基板、及び、基板の両側に請求項１ないし請求項１６のいずれかに記載の発光ダイオードレンズを備える発光ダイオードアレーとを含み、反射板は、基板から、垂直な方向へ緩やかに上向き傾斜を有し、基板は反射板の最低点に配されることを特徴とするバックライトモジュールが提供される。
【００２０】
本発明の記述において、「反射面」という用語はレンズの屈折率と形状により光源から放出される光線に内部全反射を起こさせるレンズ表面のことであって、全ての光を反射することを意味するわけではない。「出射面」という用語は反射面で内部全反射されるか、または光源から直接到達した光を外部へ出射するレンズ表面のことをいう。また、「光軸」という用語はレンズの光源を通過する各断面での光の特定経路を意味し、レンズ全体から見れば半円を成すことになる。
【発明の効果】
【００２１】
先述したように、本発明の発光ダイオードレンズは発光ダイオードチップから発生した光を一定の出射角度で外部へ出射しながら光経路を単純化し光損失を減少させる。
【００２２】
また、本発明のバックライトモジュールは一つの発光ダイオードアレーモジュールの両側に発光ダイオードレンズ及びチップを装着することにより、上記発光ダイオードアレーから放射される光量を2倍に増加することができる。したがって、発光ダイオードアレーの数を減少させられ、それに応じてバックライトモジュールの構造を単純化することができる。
【発明を実施するための最良の形態】
【００２３】
以下、本発明の好ましき実施例を添付の図を参照しながら詳しく説明する。
【００２４】
第1実施例
図3ないし図8は本発明の第1実施例による発光ダイオードレンズの構造を示す。これら図において、図3は本発明の第1実施例による発光ダイオードレンズの斜視図で、図4は図3の発光ダイオードレンズの平面図で、図5は図3の発光ダイオードレンズの側面図で、図6は図3の発光ダイオードレンズの正面図で、図7は図3の発光ダイオードレンズの底面図で、図8は図3のA-A線に沿って切断した断面図である。
【００２５】
図3ないし図8に示す本発明の第1実施例による発光ダイオードレンズ(100)は透明素材から成り、底面に取り付けられる発光ダイオードチップ(120)から発生した光を特定の指向角に応じて外部へ放射するための構造を有する。
【００２６】
本実施例の発光ダイオードレンズ(100)はピーナッツ形態の平坦な底面(102)、この底面(102)から上向きに延長された一対の反射面(110)及び上記底面(102)と反射面(110)との間に設けられた出射面(116)から成り、底面(102)と反射面(110)との間には第1稜(104)が、底面(102)と出射面(116)との間には第2稜(108)が、そして反射面(110)と出射面(116)との間には第3稜(112)が形成される。ここで、上記発光ダイオードレンズ(100)の全体形状は図8に示す断面形状(S)を底辺(A)を軸線として180°回転させたものと同じである。
【００２７】
図８の断面（Ｓ）は直線から成る底辺（Ａ）、この底辺（Ａ）の両端から対向した形状で上向きに延長された膨らんだ円弧形状の側辺（Ｂ）及びこれら側辺（Ｂ）の上端間を連結する凹んだ円弧形状の上辺（Ｃ）から成る。一方、説明の便宜上、底辺（Ａ）と側辺（Ｂ）との頂点ａを第１連結点、側辺（Ｂ）と上辺（Ｃ）との頂点ｃを第２連結点とする。さらに、図面符号ｂは点(ｂ、ｃ)を連結する側面（Ｂ）において最外側に位置する最外郭点を示す。
【００２８】
このような図8の断面(S)は、図3の発光ダイオードレンズ(100)を、切断面が一対の連結地点(106)を通過するよう図3のI-I線に沿って切断して得たもので、発光ダイオードレンズ(100)はこれら連結地点(106)同士の直線、即ち図8の底辺(A)を通過するよう切断される限り、円周方向の如何なる位置で切断しても図8の断面形状と同一な切断面形状となる。
【００２９】
以下、本発明の第1実施例による発光ダイオードレンズ（１００）の構造を上記図８の断面形状に係わり説明する。
【００３０】
先ず、図7により明確に示すように、底面(102)は長さ方向へ対向して延長された一対の第1稜(104)とこれら第1稜(104)の両端を互いに連結するようより短い長さで対向して延長された一対の第2稜(108)とで成る。底面(102)は図8の断面(S)2個を底辺(A)を中心に相互結合したものと同一な形状を有する。夫々の第1稜(104)は膨らんだ一対の円弧が連結地点(106)を中心に相互対向するよう連結された形状であって、図8の側辺(B)2個を連結すると一つの第1稜(104)を得ることになる。これに比して、夫々の第2稜(108)は凹んだ形状を有し、図8の上辺(C)と同一な形状である。
【００３１】
一方、反射面(110)は図8の断面(S)を底辺(A)を中心に180°回転させる際、対向する側辺(B)が描く軌跡と同一な形状を有する。即ち、反射面(110)は上記第1稜(104)と断面(S)の第2連結点(c)が描く第3稜(112)間に形成され、図3のx軸方向から見ると(図5により明確に示すように)半円形の平面形状を有する。一方、図3のy軸方向から見ると、断面(S)の最外郭点(b)が形成する点線で示した円弧(114)が上端に位置し、第3稜(112)と連結地点(106)が下端に位置する。ここで、反射面(110)の円弧(114)と連結地点(106)間の部分は全体形状が略半折の漏斗と同一である。
【００３２】
また、出射面(116)は第2稜(108)と第3稜(112)間に形成され、図8の断面(S)の上辺(C)が描く軌跡に該当する。
【００３３】
一方、レンズ(100)は一体型の中実型構造として記述したが、実質的に同一か類似する屈折率を有する多面発光ダイオードチップ(120)上部のレンズ(100)の一部はシリコンなどから成る透明樹脂で充填することができる。
【００３４】
先述したように上記発光ダイオードレンズ(100)は発光ダイオードチップ(120)から発生する光を所定の指向角範囲で外部へ出射するよう構成されるが、以下に図9ないし図11を参照し、これを説明する。これら図において、図9は発光ダイオードレンズ(100)の断面(S)における指向角特性を示し、図10は発光ダイオードレンズ(100)における指向角特性を示す断面図で、図11は発光ダイオードレンズ(100)の底面(102)における指向角特性を示す。
【００３５】
先ず図９によると、便宜上点光源で示した発光ダイオードチップ（１２０）から放出される光線（Ｌ）は一部は直接出射面（１１６）を通して外部へ出射し、残りは先ず反射面（１１０）で反射した後、出射面（１１６）を通して外部へ出射する。この際、発光ダイオードチップ（１２０）において直前方へ向かう光線（Ｌ）の経路ＡＯを便宜上「光軸」という。一方、全体発光ダイオードレンズ（１００）において、図９のような断面形状は連結地点（１０６）同士の直線、即ち底辺（Ａ）を中心に１８０°に亘って存在するので、この光軸（ＡＯ）もやはり１８０°に亘って半円を成すことになる。
この際、反射面（１１０）は少なくとも第１連結点（ａ）と第２連結点（ｂ）間の部分（以下「反射面第１部分」という）が点光源の発光ダイオードチップ（１２０）から放出される光線（Ｌ）を内部全反射させるよう構成される。第１連結点（ａ）と第２連結点（ｂ）間の反射面（１１０）の形状はレンズ（１００）の屈折率と（通常は空気である）外部の屈折率との関係により定められる。一方、第２連結点（ｂ）と第３連結点（ｃ）間の反射面（１１０）の一部（以下「反射面第２部分」という）は光線（Ｌ）を必ず全反射させる必要は無く、必要に応じて光線（Ｌ）を所定の角度で光軸（ＡＯ）側へ屈折させ出射してもよい。
【００３６】
これと異なって、第1及び第2連結点(b、c)間の反射面第2部分は光軸(AO)と平行に形成することもできる。これは、発光ダイオードチップ(120)から第2連結点(b)に到達する光線(L)が内部全反射するので、第2連結点(b)から光軸(AO)と平行に光源の逆方向に延長された面もやはり内部全反射面となることを考慮したものである。
【００３７】
出射面(116)は発光ダイオードチップ(120)から直接到達した光線(L)と反射面(110)から反射し到達した光線(L)を外部へ出射する。ここで、出射面(116)が凹んでいるので光線(L)は出射面(116)から外部へ放射される際、光軸(AO)側へ集まらず拡散する傾向がある。こうした出射光線(L)は光軸に対して所定の角度範囲内で外部へ出射するが、この角度範囲はレンズ(100)の形状、具体的には反射面(110)と出射面(116)の形状とレンズ(100)の屈折率により定められる。
【００３８】
図10に示すように、発光ダイオードチップ(120)から放出された光線(L)の進行を平面図、即ち図3のx軸方向から見ると、光線(L)は光源から放射状で拡散しながら進む。これは先述したように、出射面(116)は図8の断面(S)を底辺(A)を軸線として180°回転させる場合上辺(C)により形成される軌跡と同一な形状なので、同一平面上の出射面(116)の各地点は点光源である発光ダイオードチップ(120)から同一な位置にあるようになる。即ち、発光ダイオードチップ(120)が円の中心となり出射面(116)は半円となる。したがって、平面から見ると、発光ダイオードチップ(120)から放出された光線(L)は出射面(116)に垂直に到達するので反射や屈折をせずに外部へ出射する。
【００３９】
図11によると、発光ダイオードレンズ(100)の底面(102)における光線(L)の反射及び出射過程は図9のものと実質的に同一である。但し、底面(102)が断面(S)を軸線の底辺(A)を中心に2個連結したものと同じ形状なので、光線(L)は点光源の発光ダイオードチップ(120)を中心に対称形状で図の左右に出射する。
【００４０】
したがって、本発明の第1実施例による発光ダイオードレンズ(100)は発光ダイオードチップ(120)から放出された光線(L)中レンズ(100)の半径方向、即ちy及びz軸方向の成分は最初の放出方向に沿って外部へ出射させるが軸線方向、即ちx軸方向の成分はy軸方向とz軸方向へ方向を変えて出射するようになる。その結果、光線(L)は発光ダイオードレンズ(100)の半径方向から見ると放射状で拡散しながら出射するが、断面及び底面から見ると光軸(AO)を中心に所定の角度範囲内で出射面(116)を通して外部へ出射する。こうした出射角度範囲はレンズ(100)の形状及び屈折率により定められる。例えば、反射面(110)の形状を非対称にすると光線の出射角度範囲を非対称にすることができる。
【００４１】
このような発光ダイオードレンズ(100)は先述した従来の発光ダイオードレンズ(10)と比較すると、光経路が単純で光損失が減少する。
【００４２】
以下、図12に基づいて本発明の発光ダイオードレンズを備えたバックライトモジュールについて説明する。
【００４３】
図12に示すように、バックライトモジュール(140)はLCD(図示せず)の背面からLCDパネル(図示せず)に垂直方向に光を照射するためのものである。上記バックライトモジュール(140)は略長方形の上記LCDパネル側が開放されたハウジング(144)、このハウジング(144)内で高さ方向へ緩やかな曲線に沿って上向き傾斜を有する反射板(142)、及び上記ハウジング(144)を横切って延長されその高さ方向に上記反射板上に設けられた発光ダイオードアレー(130)を含む。上記反射板(142)は図においてハウジング(144)の平面方向、即ちx軸方向へ進みながらその高さ方向、即ちz軸方向へ緩やかに上向き傾斜を有するよう構成される。一方、発光ダイオードアレー(130)は反射板(142)の最低点に配され、バー形態の(通常印刷回路基板である)基板の両側に取り付けられた複数の発光ダイオードチップ(図示せず)、これら発光ダイオードチップ上に夫々配された複数の発光ダイオードレンズ(100)及び上記アレー(130)を反射板(142)に固定させるブラケット(132)を含む。
【００４４】
こうすると、多重レンズ発光ダイオードアレー(130)から放射された光線(L)は指向角に応じてバックライトモジュール(140)内で進行する。即ち、バックライトモジュール(140)の平面方向へは拡散しながら進むが、高さ方向へは所定の角度以上拡散されない。光線(L)はこのようにバックライトモジュール(140)の平面方向へ進みながら相互混合された後、反射板(142)によりLCDパネル側へ反射されることによりLCDパネルにバックライトを提供するようになる。
【００４５】
このように構成すると、先述した従来の技術と比較すると一つの発光ダイオードアレー(130)に2倍の発光ダイオードレンズ及びチップを装着できるので、この発光ダイオードアレー(130)から放射される光量を2倍に増加することができる。したがって、発光ダイオードアレー(130)の数を減少させることができ、そのことからバックライトモジュール(140)の構造を単純化することができる。
【００４６】
図13は図3の発光ダイオードレンズの変形例を示す平面図である。図13によると、本変形例による発光ダイオードレンズ(100A)は発光ダイオードチップ(120)に対向する第3稜(112)の一部領域に直線部(112A)が形成され、この直線部(112A)は発光ダイオードチップ(120)の長さと同一に形成される。さらに、同一な形状の直線部が出射面(図示せず)の対応部分に形成されることができる。こうした構造の発光ダイオードレンズ(100A)は発光ダイオードチップ(120)が長い場合、適宜に用いることができる。
【００４７】
図14は図3の発光ダイオードレンズの他変形例を示す底面図である。図14によると、本変形例による発光ダイオードレンズ(100B)は第1稜(104)間に直線の連結部(106B)が形成された点で図3ないし図8に示した発光ダイオードレンズ(100)と相異する。連結部(106B)を線に形成すると、レンズ(100B)を成型するための金型製造がより容易である。また、連結部を湾曲させるのもやはり可能である。
【００４８】
本発明の第1実施例による発光ダイオードレンズは先述した実施形態(100、100A、100B)に限定されない。例えば、反射面(110)形状は必ずしも対称である必要は無い。この場合、先述した連結地点(106)または連結部(106B)は反射面(110)中のいずれか一方にのみ形成され、他方の反射面には半折漏斗形状が形成されなくてもよい。
【００４９】
第2実施例
図15ないし図20は本発明の第2実施例による発光ダイオードレンズの構造を示す。これら図において、図15は本発明の第2実施例による発光ダイオードレンズの斜視図で、図16は図15の発光ダイオードレンズの平面図で、図17は図15の発光ダイオードレンズの正面図で、図18は図15の発光ダイオードレンズの側面図で、図19は図15の発光ダイオードレンズの底面図で、図20は図15のII-II線に沿って切断した断面図である。
【００５０】
図15ないし図20に示した本発明の第1実施例による発光ダイオードレンズ(200)は透明素材から成り、底面に取り付けられる発光ダイオードチップ(210)から発生した光を特定の指向角に応じて外部へ放出するための構造を有する。
【００５１】
本実施例の発光ダイオードレンズ(200)は対向した冠状の平坦な底面(202)、この底面(202)から上向きに延長された一対の第1及び第2反射面(204、206)及び上記底面(202)と第2反射面(206)間に形成された第1及び第2出射面(210、214)と中間面(212)から成り、その全体形状は図20に示した断面形状(S)を底辺(A)を軸線として180°回転させたものと同じである。
図20の断面(S)は直線から成る底辺(A)、この底辺(A)の両端から対向した形状で上向きに延長された一対の膨らんだ円弧形状の第1側辺(B1)、これら第1側辺(B1)から直線で上向きに延長された一対の第2側辺(B2)、これら第2側辺(B2)の上端から内側に直線で延長された一対の第1上辺(C1)、これら第1上辺(C1)の内側端部から直線で下向きに延長された一対の第2上辺(C2)及びこれら第2上辺(C2)の下端を相互連結する膨らんだ円弧形状の第3上辺(C3)から成る。一方、説明の便宜上底辺(A)と第1側辺(B1)との頂点aを第1連結点(a)、第1側辺(B1)と第2側辺(B2)との頂点bを第2連結点(b)、第2側辺(B2)と第1上辺(C1)との頂点cを第3連結点(c)、第1上辺(C1)と第2上辺(C2)との頂点dを第4連結点(d)、そして第2上辺(C2)と第3上辺(C3)との頂点eを第5連結点(e)とする。
【００５２】
このような図20の断面(S)は図15の発光ダイオードレンズ(200)を切断面が(図19に明確に示された)一対の連結地点(208)間に形成された直線、即ち図20の底辺(A)を通過するよう図15のII-II線に沿って切断して得たもので、発光ダイオードレンズ(200)はこの底辺(A)を通過するよう切断される限り、円周方向の如何なる位置から切断されても図20の断面形状と同一な切断面形状を有するようになる。
【００５３】
以下、本発明の第2実施例による発光ダイオードレンズ(200)の構造を上記図20の断面形状(S)に係わり説明する。
【００５４】
上記発光ダイオードレンズ(200)は先述したように、図20の断面形状(S)を底辺(A)を中心に180°回転させて得た軌跡と同一な構造を有する。
【００５５】
先ず、図19により明確に示した底面(202)は図20の断面(S)を回転させた状態の底面、即ち断面(S)2個を底辺(A)を中心に相互結合させたものと同一な形状となる。
【００５６】
反射面(204、206)は図20の断面(S)を底辺(A)を中心に180°回転させる場合対向した第1及び第2側辺(B1、B2)が描く軌跡と同一な形状となる。即ち、第1反射面(204)は図20の断面(S)の上記第1連結点(a)と第2連結点(b)間の第1側辺(B1)が描く軌跡により形成され、第2反射面(206)は断面(S)の第2連結点(b)と第3連結点(c)間の第2側辺(B2)が描く軌跡により形成される。したがって、夫々の第1反射面(204)はその全体形状が略半折の漏斗に該当し、連結地点(208)はこの漏斗の頂点に該当する。
【００５７】
また、出射面(210、214)と中間面(212)は図20の断面(S)の上辺(C1、C2、C3)が描く軌跡により夫々形成される。
【００５８】
このような構造のレンズ(200)は一体型の中実型構造として記載するが、実質的に同一か類似する屈折率を有する多面発光ダイオードチップ(220)上部のレンズ(200)の一部はシリコンなどから成る透明樹脂で充填することができる。
【００５９】
先述したように上記発光ダイオードレンズ(200)は発光ダイオードチップ(220)から発生する光を所定の指向角範囲で外部へ出射させるよう構成されるが、以下図21と図22を参照し、これを説明する。これら図面において、図21は本発明の第2実施例による発光ダイオードレンズ(200)の断面(S)における指向角特性を示し、図22は本発明の第2実施例による発光ダイオードレンズ(200)の底面(202)における指向角特性を示す。
【００６０】
先ず、図21によると、便宜上点光源で示した発光ダイオードチップ(220)から放出される光線(L)は直接または第1及び第2反射面(204、206)で反射後第1及び第2出射面(210、214)を通して外部へ出射する。この際、発光ダイオードチップ(220)から直前方に向かった光線(L)の経路AOを便宜上「光軸」という。
【００６１】
この際、第1及び第2反射面(204、206)は、少なくとも第1連結点(a)と第2連結点(b)間の第1反射面(204)が点光源の発光ダイオードチップ(220)から放出される光線(L)を内部全反射させるよう構成される。第1反射面(204)の形状はレンズ(200)の屈折率と(通常は空気である)外部の屈折率との関係により定められる。一方、第2連結点(b)と第3連結点(c)間の第2反射面(206)は光線(L)を必ずしも全反射させる必要は無く、必要に応じて光線(L)を所定の角度で光軸(AO)側へ屈折させ出射してもよい。
【００６２】
出射面(210、214)は反射面(204)から反射され到達した光線(L1)と発光ダイオードチップ(220)から直接到達した光線(L2)を外部に出射する。第2出射面(214)は発光ダイオードチップ(220)から放出され直接到達した光線(L3)を外部へ出射し、その膨らんだ形状により光線(L3)を光軸(AO)方向に集める傾向がある。一方、全体発光ダイオードレンズ(200)において図21のような断面形状は連結地点(208)間の直線、即ち底辺(A)を中心に180°に亘って存在するので、この光軸(AO)もやはり180°に亘って半円を成すことになる。
【００６３】
こうした出射光線（Ｌ）は光軸（ＡＯ）に対して所定の角度範囲内で外部へ出射するが、この角度範囲はレンズ（２００）の形状、具体的には反射面（２０４、２０６）と出射面（２１０、２１４）及び中間面（２１２）の形状とレンズ（２００）の屈折率により定められる。
【００６４】
図22によると、発光ダイオードレンズ(200)の底面(202)での光線(L)の反射及び出射過程は図21のものと実質的に同一である。但し、底面(202)が断面(S)を軸線である底辺(A)を中心に2個連結したものと同じ形状なので、光線(L)は点光源である発光ダイオードチップ(220)を中心に対称形状で図の左右に出射する。
【００６５】
一方、たとえ図示はしなかったが、発光ダイオードチップ(220)から発光ダイオードレンズ(200)の半径方向、即ち図15のy軸及びz軸方向へ出射された光線は図10に基づき第1実施例を通して説明したように光源から放射状で拡散し進行する。これは発光ダイオードレンズ(200)が、図18に示すようにx軸方向から見ると半円形の平面形状を有するので発光ダイオードレンズ(220)から放出された光線はy軸及びz軸方向には反射または屈折せずに外部へ放射するようになる。
【００６６】
したがって、本発明の第2実施例による発光ダイオードレンズ(200)は発光ダイオードチップ(220)から放出された光線(L)中レンズ(200)に対する半径方向、即ちy及びz軸方向の成分は最初の放出方向に沿って外部へ出射するが軸線方向、即ちx軸方向の成分はy軸とz軸方向へ方向を変えて出射するようになる。その結果、光線(L)は発光ダイオードレンズ(200)の半径方向には放射状で拡散しながら出射するが、x軸方向には光軸(AO)を中心に所定の角度範囲内で出射面(210、214)を通して外部へ出射する。こうした出射角度範囲はレンズ(200)の形状及び屈折率により定められる。
【００６７】
このような構成の発光ダイオードレンズ(200)は図12に示すものと同一な方式により発光ダイオードアレーの両面に複数個配列されLCDバックライトモジュールに設けられる。こうすると発光ダイオードチップから放出された光線は図12と同一な方式によりLCDパネルにバックライトを提供するようになる。
【００６８】
この場合も、先述した従来の技術と比較すると、一つの発光ダイオードアレーに2倍の発光ダイオードレンズ及びチップを装着できるので、この発光ダイオードアレーから放射される光量を増加させることができる。したがって、発光ダイオードアレーの数を減少させることができ、そのことからバックライトモジュールの構造を単純化することができる。
【００６９】
図23ないし図25は本発明の第2実施例による発光ダイオードレンズの様々な変形例を示す平面図である。
【００７０】
図23に示した発光ダイオードレンズ(200A)は中間面(212)と第2出射面(214)とが出会う部分に連結面(216)が形成されることを除けば、先述した第2実施例の発光ダイオードレンズ(200)と同一な構造を有する。このように連結面(216)を形成すると、レンズ(200A)を成型するための金型製造がより容易となる。
【００７１】
図２４に示した発光ダイオードレンズ（２００Ｂ）は第１出射面（２１０Ｂ）が傾くよう、即ち内側より外側が突出するよう形成したことを除けば、図２３の発光ダイオードレンズ（２００Ａ）と同一な構造を有する。上記第１出射面（２１０Ｂ）は通過する光線を光軸側へより集めることができ、図２４の発光ダイオードレンズ（２００Ｂ）の中間面（２１２）との角度は約３０°ないし６０°が好ましい。一方、上記第１出射面（２１０Ｂ）は本発明の第２実施例による発光ダイオードレンズ（２００）にも適用することができる。
【００７２】
図25に示した発光ダイオードレンズ(200C)は中間面(212)と第2出射面(214)とが出会う部分に曲面の連結面(216C)が形成される。このような連結面(216C)もやはりレンズ(200C)を成型するための金型製造をより容易にする。
【００７３】
図26は本発明の第2実施例による発光ダイオードレンズの他変形例を示す底面図である。この発光ダイオードレンズ(200D)は第1反射面(204)が集まる連結部(208D)が曲面に形成され、中間面(212)と第2出射面(214)との間に曲面の連結面(216D)が形成されたことを除けば、第2実施例による発光ダイオードレンズ(200)における図19の底面形状と同一である。このように連結部(208D)と連結面(216D)を形成するとレンズ(200D)を成型するための金型製造がより容易になる。
【００７４】
図27は図26の発光ダイオードレンズ(200D)を図上から観察した場合の出射光線の強度を示したグラフである。ここで、角度は光源の発光ダイオードチップ(220)から発光ダイオードレンズ(200D)の幅方向への角度を意味し、強度はカンデラである。図27から分かるように、出射光線はx軸方向へ±15°以内に集中され、これは全体光量の約70%以上に該当する。
【００７５】
ここで、図26の発光ダイオードレンズ(200D)を使用して実験したのはこの形態が最も容易に具現されるからである。例えば、図15ないし図20の発光ダイオードレンズ(200)を使用すれば、その効率を一層高められるであろう。
【００７６】
本発明の第2実施例による発光ダイオードレンズは先述した実施形態(200、200A、200B、200C、200D)に限定されない。例えば、反射面(204、206)の形状は必ず対称である必要は無い。この場合、先述した連結地点(208)または連結部(208D)は第1反射面(204)中のいずれか一方にのみ形成され、他方の反射面には半折漏斗形状が形成されなくてもよい。また、第2反射面(206)を光軸(AO)と平行にさせず所定の角度で傾斜させてもよい。あるいは両側の第2反射面を相異する角度で形成することもできる。
【００７７】
上記においては本発明の好ましき実施例を参照して説明したが、該当技術分野において通常の知識を有する者であれば、本願特許請求範囲に記載された本願発明の思想及び領域から外れない範囲内において本願発明を多様に修正及び変更できることを明かしておく。
【図面の簡単な説明】
【００７８】
【図１】従来の技術による発光ダイオードレンズの断面図である。
【図２】図1の発光ダイオードレンズを備えたバックライトモジュールの斜視図である。
【図３】本発明の第1実施例による発光ダイオードレンズの斜視図である。
【図４】図3の発光ダイオードレンズの平面図である。
【図５】図3の発光ダイオードレンズの側面図である。
【図６】図3の発光ダイオードレンズの正面図である。
【図７】図3の発光ダイオードレンズの底面?である。
【図８】図3のI-I線に沿って切断した断面図である。
【図９】本発明の第1実施例による発光ダイオードレンズにおける指向角特性を示す断面図である。
【図１０】本発明の第1実施例による発光ダイオードレンズにおける指向角特性を示す断面図である。
【図１１】本発明の第1実施例による発光ダイオードレンズにおける指向角特性を示す底面図である。
【図１２】本発明の発光ダイオードレンズを備えたバックライトモジュールの一部を示す斜視図である。
【図１３】本発明の第1実施例による発光ダイオードレンズの変形例を示す平面図である。
【図１４】本発明の第1実施例による発光ダイオードレンズの他変形例を示す底面図である。
【図１５】本発明の第2実施例による発光ダイオードレンズの斜視図である。
【図１６】図15の発光ダイオードレンズの平面図である。
【図１７】図15の発光ダイオードレンズの正面図である。
【図１８】図15の発光ダイオードレンズの側面図である。
【図１９】図15の発光ダイオードレンズの底面図である。
【図２０】図15のII-II線に沿って切断した断面図である。
【図２１】本発明の第2実施例による発光ダイオードレンズにおける指向角特性を示す断面図である。
【図２２】本発明の第2実施例による発光ダイオードレンズにおける指向角特性を示す底面図である。
【図２３】本発明の第2実施例による発光ダイオードレンズの変形例を示す断面図である。
【図２４】本発明の第2実施例による発光ダイオードレンズの変形例を示す断面図である。
【図２５】本発明の第2実施例による発光ダイオードレンズの変形例を示す断面図である。
【図２６】本発明の第2実施例による発光ダイオードレンズの他変形例を示す底面図である。
【図２７】図26の発光ダイオードレンズから出射される光線の強度を示すグラフである。
【符号の説明】
【００７９】
100．200  発光ダイオードレンズ
102、202  底面
110、204、206  反射面
116、210、214  出射面
220  発光ダイオードチップ
AO  光軸
【図１】
0004079932.tif 000002
【図２】
0004079932.tif 000003
【図３】
0004079932.tif 000004
【図４】
0004079932.tif 000005
【図５】
0004079932.tif 000006
【図６】
0004079932.tif 000007
【図７】
0004079932.tif 000008
【図８】
0004079932.tif 000009
【図９】
0004079932.tif 000010
【図１０】
0004079932.tif 000011
【図１１】
0004079932.tif 000012
【図１２】
0004079932.tif 000013
【図１３】
0004079932.tif 000014
【図１４】
0004079932.tif 000015
【図１５】
0004079932.tif 000016
【図１６】
0004079932.tif 000017
【図１７】
0004079932.tif 000018
【図１８】
0004079932.tif 000019
【図１９】
0004079932.tif 000020
【図２０】
0004079932.tif 000021
【図２１】
0004079932.tif 000022
【図２２】
0004079932.tif 000023
【図２３】
0004079932.tif 000024
【図２４】
0004079932.tif 000025
【図２５】
0004079932.tif 000026
【図２６】
0004079932.tif 000027
【図２７】
0004079932.tif 000028